(57)【要約】【課題】住居および商業的用途において、手細工で作った丸太の構造物に使用される各種径の先細り家屋建築用丸太の製造を可能にする方法を提供する。【解決手段】使用する各全木の自然のままの先細りを維持しながら、それぞれの壁用丸太の下側に溝または切込みとして知られる側面切欠きを創り出すために、研削工程で木材を除去する。特殊な径に共通の湾曲を用いて、各丸太の上部の凸状湾曲を切削し、直接その上にのる丸太の下部の凹状湾曲と調和させる。各丸太の上側と下側を平削りする工程で、同じ程度の先細りが得られる。全木の丸い樹木を利用し、各丸太の自然のままの先細りが常に維持される。【選択図】図１
2005501990.tif 000002
【特許請求の範囲】
【請求項１】
類似の先細りをもち、元口の寸法が最大、先端部の寸法が最小の全木自然のままの丸太を、同じ程度の先細りとし、全ての丸太の下側には調和する凹面、全ての丸太の上部には凸面を創り出し、丸太を壁の中に置くときそれらを互いに逆向きにして、所定の丸太を他の丸太の上に（パッキング材を挿んで）積み重ねることができ、従って、元口端（すなわち丸太の最大径）が常に先端部（すなわち丸太の最小径）と互い違いになり、丸太を壁アセンブリーに積み重ねるとき、２区切りごとに壁の高さが常に同一の水準となるようにし、かつ
ａ）全木自然のままの丸太が類似の先細りをもち、
ｂ）それぞれの丸太の上面が水平面にあるようにして、上記丸太を第１段階の研削と凹状の溝を穿削するための位置に置き、
ｃ）建造に際し丸太を壁の中に置くときに、丸太の下側になる予定のこの面に上記丸太の径に基づいて特殊な湾曲の凹状の溝を穿削し、
ｄ）次いで、丸太の反対面が上側になるように上記丸太を１８０度回転し、平削り工程によって同一の先細り度が得られるように位置させ、
ｅ）建造に際し丸太を壁の中に置くときに丸太の上側になる予定のその面に、調和する凸状の曲線を切削し、
ｆ）廃材の発生量を最小にする、
ことからなる丸太壁を構築する方法。
【請求項２】
正確に同じ先細りの丸太を創り出すように、類似の先細りの丸太を平削りする請求項１記載の方法。
【請求項３】
直接上にのる丸太の下側の凹状の湾曲と調和をとるために、特殊な径に共通の湾曲を用いて、それぞれの丸太の上側の凸状湾曲を切削し、ひとたび共通の湾曲が設定されれば、各特定の建造物に対する全ての壁用丸太の研削にその湾曲を維持すべきものとする請求項１記載の方法。
【請求項４】
１６インチ径の湾曲を１６インチの円の周のいかなる部分にも等しいと定義し、同様に１０インチ径の湾曲を１０インチの円の周のいかなる部分にも等しいとし、径が５〜１０インチの範囲の丸太には１０インチの湾曲のブレードを使用し、径が１０〜１６インチの範囲の丸太には１６インチの湾曲のブレードを使用し、径が１６〜２４インチの範囲の丸太には２４インチの湾曲のブレードを使用するものとする請求項１記載の方法。
【請求項５】
径の範囲が約６インチ（元口寸法から先端部寸法まで）である特定建造物用の所定セットの丸太で、最大の元口径を用いることにより、湾曲を最大元口の径に等しいか、それよりもやや大きくする請求項１記載の方法。
【請求項６】
それぞれの丸太を同一の先細りに平削りし、特定の建造を通して共通の湾曲のブレードを使用し、元口が先端部と互い違いになるように丸太を壁に置き、設定された範囲に基づいていかなる径の丸太を用いようとも、２区切りごとに壁の高さが同一の水準となるように条件付けられている請求項１記載の丸太壁構築方法。
【発明の詳細な説明】
【技術分野】
【０００１】
本発明は丸太壁の構築に関するものであり、互いに適合してそれぞれの上部に水平に置かれる自然のままの先細り全木丸太を利用する。
【背景技術】
【０００２】
伝統的にこの種の壁の構築は、チェーンソーを用いて、常に手動で行われてきた。溝あるいは切込みとしても知られる側面の切欠きはそれぞれの丸太の下側または胴部からチェーンソーで穿削され、各壁用丸太の全長に及ぶ。これは極度に骨の折れる労働集約的な繰り返しの仕事である。本発明はそれに係る時間浪費の困難な労働を無くすが、先細りの丸太壁を手細工で作り上げるという外観は依然ととして生ずるであろう。自然のままの丸太を用いる建造の技芸と手工業は魅力を獲得し続け、構築のこの労働集約的な局面を取り除けば、丸太建造業者らが革新的、創造的な手細工で作り上げる彼ら自身の構築様式にとって、ユニークな角の切欠きその他の細かいことに、より一層集中する時間を与えるであろう。
【０００３】
水平に積み重ねた丸太あるいは研削した材木を切欠くかあるいはともに接合するには様々な手段がある。従来の「研削」または「マシンカット」の家屋用丸太では、大量の廃材が創り出される。Ｄ形状の丸太や二重さねはぎ継ぎ型の丸太は規定寸法の材木から機械加工し、次いで「本当の丸太」に似せるように輪郭をとる。旋盤にかけた（丸い）材木は全て正確に同じ径に研削し、木の先端部の寸法が丸太の最終寸法を決定する。丸太を最小の寸法、しばしば径６インチ程度に旋盤がけするとき、莫大な量の廃材が発生する。木材の４０％までが廃材となる。
【０００４】
従来の製材システムはまた使用できる丸太の長さに制限がある。残念な結果は、壁の中で「端部の突合せ」材木を実際に扱う場合、すなわち２−２０ｆｔの丸太片の端と端を突合せて１−４０ｆｔの長さを創り出す場合に起る。これは審美的にも構造的にも建造物にマイナスに影響し、空気漏洩の問題を生じ得る。
【０００５】
ゴルデイドの米国特許第４，３１２，１６１号は、壁または類似の構造物の構築に内部適合させるため、細長い円筒状の構造部材の形取りを開示している。これは、全木丸太から切削されたマシン輪郭取り材木の例を提供している。
マックデイドの米国特許第４，９０３，４４７号は、二重さねはぎ継ぎ型の建具を利用したマシン輪郭取り丸太の変形物を開示し、合いじゃくり板張りに似た外壁の輪郭取りを創り出している。
マグヌソンの米国特許第４，５１０，７２４号は、材木の自然のままの先細りを取入れた材木構築物を開示し、角の建具に均一な切欠きシステムを用いている。
【０００６】
しかしながら、このシステムは、さらにそれぞれの材木が正確な調和のとれた寸法に輪郭取りされること、さらに本質的な木材廃棄物の量を発生すること、およびコストの増加に依存している。現在、丸太を剥ぐのに湾曲した平削り盤のヘッドを利用した機械がある。同様に、要求通りに丸太を位置づけ、それらを所定の面に整列させ、回転、研削するため、木材製造分野で油圧装置が広く用いられている。正確さを保証することに関連して、レーザー水準器が用いられている。
【特許文献１】
米国特許第４，３１２，１６１号
【特許文献２】
米国特許第４，９０３，４４７号
【特許文献３】
米国特許第４，５１０，７２４号
【発明の開示】
【発明が解決しようとする課題】
【０００７】
住居および商業的用途において、手細工で作った丸太の構造物に使用される各種径の先細り家屋建築用丸太の製造を可能にする方法を提供する。
【課題を解決するための手段】
【０００８】
本発明は使用する各全木の自然のままの先細りを維持しながら、それぞれの壁用丸太の下側に溝または切込みとして知られる側面切欠きを創り出すために、研削工程で木材を除去する。特殊な径に共通の湾曲を用いて、各丸太の上部の凸状湾曲を切削し、直接その上にのる丸太の下部の凹状湾曲と調和させる。各丸太の上側と下側を平削りする工程で、同じ程度の先細りが得られる。全木の丸い樹木を利用し、各丸太の自然のままの先細りが常に維持される。
【０００９】
更に詳しくは本発明は、類似の先細りをもち、元口の寸法が最大、先端部の寸法が最小の全木自然のままの丸太を、同じ程度の先細りとし、全ての丸太の下側には調和する凹面、全ての丸太の上部には凸面を創り出し、丸太を壁の中に置くときそれらを互に逆向きにして、所定の丸太を他の丸太の上に（パッキング材を挿んで）積み重ねることができ、従って、元口端（すなわち丸太の最大径）が常に先端部（すなわち丸太の最小径）と互い違いになり、丸太を壁アセンブリーに積み重ねるとき、２区切りごとに壁の高さが常に同一の水準となるように平削りし、かつ
ａ）全木自然のままの丸太が類似の先細りをもち、
ｂ）それぞれの丸太の上面が水平面にあるようにして、上記丸太を製材の第１段階の研削と凹状の溝を穿削するための位置に置き、
ｃ）丸太の径に基づいてこの面に特殊な湾曲の凹状の溝を穿削して、建造に際して丸太を壁の中に置くときには、これが丸太の下側になるようにし、
ｄ）次いで、丸太の反対面が上側になるように上記丸太を１８０度回転し、平削り工程によって同一の先細りが得られるように位置させ、
ｅ）調和する凸状の曲線をその面に切削して、建造に際して丸太を壁の中に置くとき、それが丸太の上側になるようにし、
ｆ）廃材の発生量を最小にする、
ことからなる丸太壁を構築する方法に関する。
【発明の効果】
【００１０】
世界中で材木の不足が増大しているので、収穫されている少なくなった量の木材は、可能な限り最高の付加価値をつけて、最も有利に使用しなければならない。本発明は壁の構築に用いられるそれぞれ自然のままに先細りっている丸太の完全利用を可能とするものである。
本質的には、樹皮および丸太の極小部分のみが未利用で、樹皮は田園の腐葉土として売ることができる。
【発明を実施するための最良の形態】
【００１１】
【表１】
2005501990.tif 000003
【００１２】
また、側面の溝を創り出すのに先細り丸太の研削マシンを使用するときは、生産性の増大により、労働のコストも本質的に節約できる。本法は、チェーンソーを使用する丸太建設業者よりも、人日当り６〜８倍多い線フィート数の側面溝を生産するであろうと評価される。これは、丸太構築産業に係る職人技巧の個性発揮と創造をより多くするという局面のための時間を増加させるであろう。同様に、本法が広く行きわたれば、側面溝を創り出すための繰り返しおよび長引くチェーンソー使用が無くなるため、現在この産業で一般的な後相関の傷害の発生率が減ずるであろう。
【００１３】
自然のままの先細り研削法を用いる大径の丸太により、丸太建造物の熱質量が増加し、丸太壁のＲ値が高くなる。使用することのできる丸太の長さが長いため、設計でより大きな柔軟性も可能であり、端部の突合せは不要である。研削した自然のままの先細り丸太は、手細工で作り上げたあるいは手細工で罫書きした建具の外観とアピール性をもつであろう。
【実施例】
【００１４】
本法は、機械を利用して溝あるいは切込みとしても知られる側面の切欠きを家屋建造用の丸太の下側に創り出し、それぞれの丸太の上部に調和する凸面を切削して、使用するそれぞれの全木丸太が自然のままの先細りを維持する壁を創り出すものである（図１参照）。ここで、図２の１３を参照して、それぞれの丸太の上部の凸状の湾曲は、特殊の径に共通の湾曲１３を用いて、直接その上にのる丸太の下部の凹状の湾曲と調和するように切削されるであろう。１６インチ径の湾曲を１６インチの円の周のいかなる部分にも等しいと定義し、同様に１０インチ径の湾曲は１０インチの円の周のいかなる部分にも等しいとする（図３の１３参照）。この方法で鍵となる要因は、類似の先細り丸太を使用し、それらを正確に同じ程度の先細りに研削することである。これは、上面が水平面になるように研削すべき丸太を位置づけることによって達成される。次いで、その面に凹状の溝を穿削する。次いで、丸太の反対面が上側になるように丸太を機械的に１８０度回転する。もう一度、平削り工程によって全ての丸太に同一程度の先細りが創り出されるように丸太の位置を保って、油圧リフターとレーザー水準器により、上面が本質的に水平面にあるように丸太を位置づける。次いで、調和のとれる凸状の湾曲をこの面に切削する。終始同じ湾曲を用いることにより、どのような径の丸太を用いても、２区切りごとに壁の高さが同一の水準となる＊（図１参照）。これは、建てられる壁のそれぞれの端で、元口（または丸太の最大径）が先端部（または丸太の最小径）と互い違いになるように、丸太を積み重ねることを条件とする（図１参照）。
＊「区切り」とは、建造物の全周に一層の丸太を積むことである。
研削および凹面を凸面に調和させる工程では極めて少量の廃材１４，１５が発生するだけである。
同じ区域で生長する樹木の先細りは類似している。理想的な家屋用の丸太は、長さ１０フィートごとに１インチの先細りである。先細りがそれより大きくてもこの機械を使用することができ、同じ結果が得られる。丸太の種々の直径に対して、湾曲の異なる穿削ブレードを使用するが、この概念によれば、いかなる完全な建造物にも、同じ湾曲のブレードと使用丸太の同じ程度の先細りが維持されなければならない。径が１０〜１６インチの範囲の丸太には１６インチの湾曲のブレードを使用する。１６〜２４インチの範囲の丸太には２４インチの湾曲のブレードを使用する。
自然のままの先細りり家屋用丸太の研削マシンは、装置が静止していて丸太が回転され移動するのとは対照的に、マシンヘッドが長い丸太を下方へ移動ように設けられている。これは長さ５５フィートまでの丸太を研削可能にするであろう。
【産業上の利用可能性】
【００１５】
本法は、チェーンソーを使用する丸太建設業者よりも、人日当り６〜８倍多い線フィート数の側面溝を生産するであろうと評価される。これは、丸太構築産業に係る職人技巧の個性発揮と創造をより多くするという局面のための時間を増加させるであろう。同様に、本法が広く行きわたれば、側面溝を創り出すための繰り返しおよび長引くチェーンソー使用が無くなるため、現在この産業で一般的な後相関の傷害の発生率が減ずるであろう。
【図面の簡単な説明】
【００１６】
【図１】図１は丸太壁の断面の外観図で、横たわっているままの丸太の自然の先細り元口１１（丸太の最大径）と先端部１２（丸太の最小径）の互い違いの積み重ね、および２区切りごとに同一水準を得ている（「区切り」は、建造物の全周に一層の丸太を積むこと）ことを説明している。
【図２】図２は丸太壁の端面図で、丸太の元口１１と先端部１２の互い違いの積み重ねを説明し、共通の湾曲１３、各丸太の上部の切削凸面をその上にある丸太の下側の穿削凹面に調和させることを示す。
【図３】図３は丸太壁の拡大した端面図で、種々の径の丸太に共通の湾曲１３を使用して凸面の凹面への正確な調和、丸太と丸太の接合が生ずることを説明し、更にこの工程において丸太１４の下側と丸太１５の上側からの木材除去の量を説明している。
【符号の説明】
【００１７】
１１…丸太の先細り元口（丸太の最大径）
１２…丸太の先端部（丸太の最小径）
１３…共通の湾曲
１４…丸太の下側（廃材）
１５…丸太の上側（廃材）
【図１】
2005501990.tif 000004
【図２】
2005501990.tif 000005
【図３】
2005501990.tif 000006
【国際公開パンフレット】
2005501990.tif 000007
2005501990.tif 000008
2005501990.tif 000009
2005501990.tif 000010
2005501990.tif 000011
2005501990.tif 000012
2005501990.tif 000013
2005501990.tif 000014
2005501990.tif 000015
【国際調査報告】
2005501990.tif 000016
2005501990.tif 000017